(57)【要約】【課題】液状製剤のぬるつきの強弱を、総合的かつ客観的により適切に評価することのできる液状製剤のぬるつきの評価方法を提供する。【解決手段】回転軸１１ａ，１２ａを平行に配置して設けられた、駆動装置により回転する駆動ロール１１と、駆動ロール１１と接触して回転する自由回転ロール１２とを含む評価装置１０を用いて、液状製剤として例えば化粧水のぬるつきの強弱を評価するぬるつきの評価方法であって、駆動ロール１１を回転させつつ、駆動ロール１１と自由回転ロール１２とのニップ間１４の全体に液状製剤を供給した際の、自由回転ロール１２の回転速度の変化として、例えば自由回転ロールの回転速度の減衰勾配から、液状製剤のぬるつきの強弱を評価するようになっている。【選択図】図１
2016161428.tif 000002
【特許請求の範囲】
【請求項１】
回転軸を平行に配置して設けられた、駆動装置により回転する駆動ロールと、該駆動ロールと接触して回転する自由回転ロールとを含む評価装置を用いて、液状製剤のぬるつきの強弱を評価する評価方法であって、
前記駆動ロールを回転させつつ、前記駆動ロールと前記自由回転ロールとの間のニップ部の全体に液状製剤を供給した際の、前記自由回転ロールの回転速度の変化から、液状製剤のぬるつきの強弱を評価する液状製剤のぬるつきの評価方法。
【請求項２】
所定の種類の液状製剤について、前記駆動ロールを回転させつつ前記駆動ロールと前記自由回転ロールとの間のニップ部の全体に前記所定の種類の液状製剤を供給した際の前記自由回転ロールの回転速度の変化と、前記所定の種類の液状製剤のぬるつきの官能評価との相関関係を、予め求めておき、前記所定の種類の液状製剤を被評価物として前記駆動ロールと前記自由回転ロールとの間のニップ部の全体に供給して、その際の前記自由回転ロールの回転速度の変化から、前記相関関係に基づいて、前記被評価物のぬるつきの強弱を評価する請求項１記載の液状製剤のぬるつきの評価方法。
【請求項３】
前記自由回転ロールの回転速度が変化する際の、前記自由回転ロールの回転速度の減衰勾配から、液状製剤のぬるつきの強弱を評価する請求項１又は２記載の液状製剤のぬるつきの評価方法。
【請求項４】
前記所定の種類の液状製剤が、化粧水、乳液、クリーム、液状ファンデーション、ＵＶケア剤、制汗用塗布液、ボディーローション、メイク落とし、身体洗浄料、整髪料、食器用洗浄料、住居用洗浄料、又は衣料用洗浄料である請求項２又は３記載の液状製剤のぬるつきの評価方法。
【請求項５】
請求項１〜４のいずれか１項記載の液状製剤のぬるつきの評価方法に用いるぬるつきの評価装置であって、
回転軸を平行に配置して設けられた、駆動装置により回転する駆動ロールと、該駆動ロールと接触して回転する自由回転ロールとを含み、且つ該自由回転ロールの回転速度を検出する速度センサーを備えるぬるつきの評価装置。
【請求項６】
前記速度センサーは、非接触で前記自由回転ロールの回転速度を検出することが可能な非接触式のセンサーである請求項５記載のぬるつきの評価装置。
【発明の詳細な説明】
【技術分野】
【０００１】
本発明は、液状製剤のぬるつきの評価方法、及び該評価方法に用いるぬるつきの評価装置に関する。
【背景技術】
【０００２】
ぬるつきは、例えば化粧水、乳液、クリーム等の液状製剤の使用感及びその嗜好性に深く関わっている。しかし、従来のぬるつきの強弱の評価は、パネラーによる官能評価によるものとなっており、より客観的に評価することを可能にする評価方法の開発が求められていた。
【０００３】
言うまでもなく、ぬるつきの強弱には滑りの要因が含まれる。滑りの程度については、摩擦係数の高低によってその評価が可能であり、摩擦係数は、通常の摩擦試験機を用いて計測することができる。しかし、例えば凍結した路面は滑りを感じるとしても、ぬるつきを感じることはない。これと同様に、例えば液体を塗布した表面の摩擦係数を、摩擦試験機を用いて計測して、摩擦係数の高低によって滑り易い液体を選別できたとしても、滑り易い液体の中からぬるつくものを選別することは困難であり、したがって液体の滑り易さの評価のみでは、液体のぬるつきの強弱を適正に判別することは困難である。
【０００４】
また、滑り以外の物性に着目したぬるつきの評価方法として、硬さや粘弾性による物性パラメータを測定して評価する方法が提案されている（特許文献１、特許文献２）。特許文献１の評価方法では、増粘剤の流動特性から予め設定された複雑流体の硬さを評価する関数を用いることにより、増粘剤の塗布時の官能評価を定量化して、増粘剤に対する使用性として、例えばぬるつきの強弱を評価するようになっている。特許文献２の評価方法では、物の粘弾性の測定に用いられるレオメータを使用して、評価の対象とする化粧料について、損失正接ｔａｎδの角周波数依存性を測定し、所定の角周波数での損失正接ｔａｎδに基づいて、化粧料の肌への塗布時のぬるつきの程度を評価するようになっている。
【先行技術文献】
【特許文献】
【０００５】
【特許文献１】特開２０１０−１２２１７０号公報
【特許文献２】特開２０１２−４７６６７号公報
【発明の概要】
【発明が解決しようとする課題】
【０００６】
しかしながら、上記従来のぬるつきの評価方法では、ぬるつきの強弱の一面を評価しているものの、総合的かつ客観的な評価というには不充分なものであっため、液状製剤のぬるつきの強弱をより適切に評価することを可能にする、新たな技術の開発が望まれている。
【０００７】
本発明は、液状製剤のぬるつきの強弱を、総合的かつ客観的により適切に評価することのできる液状製剤のぬるつきの評価方法、及び該評価方法に用いるぬるつきの評価装置を提供することを目的とする。
【課題を解決するための手段】
【０００８】
本発明者は、ぬるつきの成り立ちについて考察した結果、ぬるつきは単純な滑りとは異なる特質を持つことを見出した。すなわち、第一に、ぬるつきには滑りを伴うが、単に滑ることをぬるつくと感じるのではなく、接触の手掛かりを失わせる、若しくは被接触物を掴もうとしてもすり抜けさせる、といった被接触物への直接的な接触が妨げられる感覚を伴うとき、ぬるつくと感じると考えられる。第二に、これに関連して、ぬるつきには、被接触物へ接触しようとする手や指に纏わりつくような感覚（若しくは粘液のような粘着性のものが表面に介在する感覚）を伴うことになると考えられる。
【０００９】
そこで、本発明者は、従来の摩擦試験のように、液状製剤を塗布した面の上にセンサーを摺動させる形でぬるつきの強弱を評価する方式ではなく、押さえつけた被塗布物がすり抜ける（摺動をはじめる）動作に着目した方式を用いることにより、滑り易さ（止まり難さ）と共に、その際の液の粘着的な性質の寄与を同時に検出する方法を検討し、本発明に想到したものである。
【００１０】
本発明は、回転軸を平行に配置して設けられた、駆動装置により回転する駆動ロールと、該駆動ロールと接触して回転する自由回転ロールとを含む評価装置を用いて、液状製剤のぬるつきの強弱を評価する評価方法であって、前記駆動ロールを回転させつつ、前記駆動ロールと前記自由回転ロールとの間のニップ部の全体に液状製剤を供給した際の、前記自由回転ロールの回転速度の変化から、液状製剤のぬるつきの強弱を評価する液状製剤のぬるつきの評価方法を提供するものである。
【００１１】
また、本発明は、前記液状製剤のぬるつきの評価方法に用いるぬるつきの評価装置であって、回転軸を平行に配置して設けられた、駆動装置により回転する駆動ロールと、該駆動ロールと接触して回転する自由回転ロールとを含み、且つ該自由回転ロールの回転速度を検出する速度センサーを備えるぬるつきの評価装置を提供するものである。
【発明の効果】
【００１２】
本発明の液状製剤のぬるつきの評価方法、又は該評価方法に用いるぬるつきの評価装置によれば、液状製剤のぬるつきの強弱を、総合的かつ客観的により適切に評価することができる。
【図面の簡単な説明】
【００１３】
【図１】図１（ａ）、及び図１（ｂ）は、本発明の好ましい一実施形態に係るぬるつきの評価方法に用いるぬるつきの評価装置の、概略構成を説明する略示斜視図である。
【図２】図２は、化粧水を被試験物としてニップ部に供給した際の、自由回転ロールの回転速度の変化を例示するチャートである。
【図３】図３は、被試験物として化粧水を用いて計測した自由回転ロールの回転速度の変化である減衰勾配と、化粧水のぬるつきのなさの官能評価との相関関係を例示するチャートである。
【発明を実施するための形態】
【００１４】
以下、本発明の液状製剤のぬるつきの評価方法、及びぬるつきの評価装置を、その好ましい実施形態に基づき説明する。
本発明の好ましい一実施形態に係るぬるつきの評価方法は、例えば図１（ａ）に示すような、回転軸１１ａ，１２ａを平行に配置して設けられた、駆動装置（図示せず）により回転する駆動ロール１１と、駆動ロール１１と接触して回転する自由回転ロール１２とを含み、且つ自由回転ロール１２の回転速度を検出する速度センサー１３を備える、ぬるつきの評価装置１０を用いて実施することができる。このようなぬるつきの評価装置１０は、例えば印刷インキの粘着性の評価に用いる装置として公知の、インコメータに適宜改良を加えて使用することができる。
【００１５】
そして、本実施形態の液状製剤のぬるつきの評価方法は、回転軸１１ａ，１２ａを平行に配置して設けられた、駆動装置（図示せず）により回転する駆動ロール１１と、駆動ロール１１と接触して回転する自由回転ロール１２とを含む評価装置１０を用いて、液状製剤として例えば化粧水のぬるつきの強弱を評価する評価方法であって、駆動ロール１１を回転させつつ、駆動ロール１１と自由回転ロール１２との間のニップ部１４の全体に液状製剤を供給した際の、自由回転ロール１２の回転速度の変化から、液状製剤のぬるつきの強弱を評価するようになっている。
【００１６】
本実施形態のぬるつきの評価方法に用いる測定装置１０においては、駆動ロール１１と自由回転ロール１２は、それぞれの軸部１１ａ，１２ａがヒンジ又はアーム等を介して測定装置１０の枠体（図示せず）に取り付けられている。駆動ロール１１と自由回転ロール１２とはその回転軸１１ａ，１２ａが互いに平行に配されており、自由回転ロール１２の荷重が、駆動ロール１１と自由回転ロール１２とが接触して被評価物である液状製剤を挟み込む部分である、ニップ部１４に付加される構造となっている。自由回転ロール１２は、ニップ部１４において駆動ロール１１と接触することによる摩擦力の作用によって、駆動ロール１１の回転にともなって回転する。
【００１７】
ここで、ニップ部１４に付加される荷重は、例えば自由回転ロール１２の軸部１２ａに荷重を加えることによって、自由回転ロール１２の自重以上の荷重が付加されるように調整することもできる。また、例えばバネ等の発条部材による押し付け機構を用いることによって、横方向から荷重を付加することで、駆動ロール１１と自由回転ロール１２との位置関係を、例えばこれらの軸部１１ａ，１２ａを含む平面が、水平となるよう配置することもできる。
【００１８】
駆動ロール１１には、金属製のロール部材を用い、他方、自由回転ロール１２には、ゴム製のロール部材を用いることができる。また、駆動ロール１１と自由回転ロール１２との双方を、ゴム製のロール部材とすることもできる。或いは、駆動ロール１１と自由回転ロール１２は、例えばナイロンや、その他の各種の樹脂から幅広く材質を選択して、形成することも可能である。
【００１９】
駆動ロール１１は、例えば５０〜１２０ｍｍ程度の直径を有していることが好ましく、５０〜２５０ｍｍ程度の長さを有していることが好ましい。自由回転ロール１２もまた、例えば５０〜１２０ｍｍ程度の直径を有していることが好ましく、５０〜２５０ｍｍ程度の長さを有していることが好ましい。自由回転ロール１２は、駆動ロール１１よりもその長さが短くなっていても良く、またその逆であっても良い。
【００２０】
測定装置１０は、図１（ｂ）に示すように、第３のロールとして、駆動ロール１１の表面に供給された被評価物である液状製剤を均等に薄く広げるための、膜厚制御ロール１５を有していても良い。膜厚制御ロール１５は、自由回転ロール１２と同様に、好ましくはゴム製のロール部材として形成できる他、例えばナイロンや、その他の各種の樹脂から幅広く材質を選択して形成することができる。膜厚制御ロール１５は、駆動ロール１１の直径よりも小さな、例えば３５〜８０ｍｍ程度の直径を有していることが好ましい。
【００２１】
第３のロールとして、膜厚制御ロール１５を設ける場合には、インコメーターでは一般的なバイブレーション動作を省略し、膜厚制御ロール１５の位置を固定することもできる。また、駆動ロール１１及び位置を固定した膜厚制御ロール１５の両端部分に、周方向に全周に亘って連続する凹溝１１ｂ，１５ｂを各々形成して、両側の一対の凹溝１１ｂ，１５ｂによって挟まれるこれらの間の部分の領域を、各々液状製剤供給領域１１ｃ，１５ｃとし、両端の一対の凹溝１１ｂ，１５ｂよりも外側の部分の領域を、各々駆動力伝達領域１１ｄ，１５ｄとすることもできる。
【００２２】
これによって、駆動ロール１１の液状製剤供給領域１１ｃに供給された液状製剤が、駆動ロール１１の凹溝１１ｂを超えて駆動力伝達領域１１ｄにはみ出したり、膜厚制御ロール１５の凹溝１５ｂを超えて駆動力伝達領域１５ｄにはみ出したりするのを、効果的に回避することが可能になる。またこれによって、例えば液状製剤が、駆動ロール１１の液状製剤供給領域１１ｃの全長に亘って供給されて、膜厚制御ロール１５の液状製剤供給領域１５ｃとの間で滑りが生じ易くなっても、駆動ロール１１の駆動力伝達領域１１ｄと、膜厚制御ロール１５の駆動力伝達領域１５ｄとの間で摩擦力を確保して、駆動ロール１１から膜厚制御ロール１５に回転駆動力を引き続き伝達できるようにすることが可能になる。
【００２３】
また更に、凹溝の幅内で膜厚制御ロール１５にバイブレーション動作を付加することも可能である。この場合、膜厚制御ロール１５の液状製剤供給領域１５ｃは、膜厚制御ロール１５の振れ（バイブレーション）幅分だけ、軸方向へ長くすることが好ましい。
【００２４】
本実施形態では、自由回転ロール１２の回転速度を検出する速度センサー１３として、公知の各種の速度センサー１３を用いることができる。速度センサー１３は、非接触で自由回転ロール１２の回転速度を計測できるセンサーを用いることが好ましい。このような速度センサー１３として、例えばレーザードップラー面速度計、レーザースペックル面速度計等を、自由回転ロール１２の表面から離間して、非接触に配置して用いることが好ましい。自由回転ロール１２の回転速度は、被評価物である液状製剤の種類によっては、ゼロ回転の状態（静止状態）に至るため、速度センサー１３は、極めて低速の回転速度まで計測できるものを用いることが好ましい。なお、図１（ａ）及び図１（ｂ）においては、速度センサー１３は、より精度の高い回転速度の計測結果が得られるように、自由回転ロール１２の液状製剤供給領域１２ｃの外側に設けられた、自由回転ロール１２の端部の縮径段部１２ｂの上方に、これと離間して配置されて、縮径段部１２ｂの面速度を計測するようになっているが、例えばレーザードップラー面速度計を用いる場合には、自由回転ロール１２の液状製剤供給領域１２ｃと離間して配置して、液状製剤供給領域１２ｃの面速度を計測することもできる。
【００２５】
本実施形態では、ぬるつきが評価される被評価物となる所定の種類の液状製剤として、日用品、化粧品等の、ぬるつきが使用感の課題となる種々の液状製剤を挙げることができる。具体的には、被評価物となる所定の種類の液状製剤として、化粧水、乳液、クリーム、液状ファンデーション、ＵＶケア剤、制汗用塗布液、ボディーローション、メイク落とし、身体洗浄料、整髪料、食器用洗浄料、住居用洗浄料、衣料用洗浄料等を挙げることができる。
【００２６】
本実施形態のぬるつきの評価方法では、上述の構成を備える評価装置１０を用いて、駆動ロール１１を回転させつつ、駆動ロール１１と自由回転ロール１２との間のニップ部１４の全体、言い換えるとニップ部１４の幅方向の全長にわたって液状製剤を供給した際の、自由回転ロール１２の回転速度の変化から、液状製剤として例えば化粧水のぬるつきの強弱を評価する。
【００２７】
本実施形態の評価方法では、被評価物である液状製剤を供給して、自由回転ロール１２の回転速度の変化を測定する前の状態においては、自由回転ロール１２（及び膜厚制御ロール１５）は、駆動ロール１１の回転駆動に伴って、所定の初期の回転速度で回転している。すなわち、駆動ロール１１の軸部１１ａに取り付けられた例えばモータ（駆動装置）によって、駆動ロール１１を回転駆動させると、駆動ロール１１と接触している自由回転ロール１２（及び膜厚制御ロール１５）は、駆動ロール１１との摩擦力の作用によって、駆動ロール１１の回転にともなって回転する。
【００２８】
しかる後に、ピペット（図示せず）等を用いて、例えばニップ部１４に近接する部分の駆動ロール１１や、或いは膜厚制御ロール１５を用いる場合には、駆動ロール１１と膜厚制御ロール１５との間の部分に、被評価物である液状製剤を所定量供給する。供給された液状製剤は、駆動ロール１１、自由回転ロール１２、及び膜厚制御ロール１５の回転にともなって、駆動ロール１１と自由回転ロール１２との間のニップ部１４や、駆動ロール１１と膜厚制御ロール１５との間の部分を通過することで、駆動ロール１１の周面に均等に薄く広がってゆき、自由回転ロール１２の周面の幅方向の全長に相当する領域を覆うように供給されて塗布される。
【００２９】
これによって、駆動ロール１１と自由回転ロール１２と間のニップ部１４には、これの全体に亘って（幅方向の全長に亘って）、被評価物である液状製剤（化粧水）が供給されて介在することになるので、液状製剤の介在によって駆動ロール１１と自由回転ロール１２の間の摩擦力が低減する。これによって、両者は滑り易くなる。
【００３０】
ところで、このとき駆動ロール１１と自由回転ロール１２とが接するニップ部１４の回転方向の出口側においては、これらのロール面上にある被評価物である液状製剤には、２つのロール面の間で分離する方向の力が作用する。ここで被評価物である液状製剤の液性が粘着的である場合には、液状製剤は、ロール面の間で分離する力に対する抵抗力を発現する。この抵抗力は自由回転ロール１２の回転を抑制する方向に作用するので、自由回転ロール１２の回転速度は低下する。言い換えると、回転速度の低下は、被評価物である液状製剤の粘着力を強く反映したものとなる。
【００３１】
すなわち、被評価物である液状製剤が、駆動ロール１１と自由回転ロール１２との間のニップ部１４におけるロール面間の摩擦力を低下させて、これらのロール面間の結合を阻害し、かつその際に液性が粘着的で、自由回転ロール１２の駆動ロール１１の回転に伴う回転を阻害するものである場合には、ロール面が被評価物に覆われた時点から、速やかに自由回転ロール１２は、回転速度を低下させ始めることになる。言い換えると、ロール面が被評価物である液状製剤に覆われた時点から、自由回転ロール１２が速やかに回転速度を低下させ始めるのであれば、ロール面を覆った被評価物は、接触の手掛かりを失わせる、若しくは被接触物を掴もうとしてもすり抜けさせる、といった被接触物への直接的な接触が妨げられる感覚を伴いつつ滑るという、ぬるつきの第１の要件と、ぬるつきには、被接触物へ接触しようとする手や指に纏わりつくような感覚（若しくは粘液のような粘着的なものが表面に介在する感覚）を伴うことになるという、ぬるつきの第２の要件との、２つの要件を満たす、ぬるつく液状製剤であると考えられる。
【００３２】
図２は、比較的ぬるつきの強い液状製剤である化粧水を被評価物として、図１（ｂ）に示す上述の測定装置１０を用いて、上述の方法によって、化粧水を（予め所定の速度で回転をさせている）駆動ロール１１と膜厚制御ロール１５との間の部分に所定量供給した際に、自由回転ロール１２が全長に亘って被評価物によって被覆され、ニップ部１４の全体に液状製剤が供給された直後から、自由回転ロール１２の回転速度が変化して低下してゆく状況を、速度センサー１３によって計測して、時間（秒）を横軸として表示したものである。図２では、自由回転ロール１２の液状製剤供給領域１２ｃにおける速度センサー１３による面速度の計測値を、自由回転ロール１２の回転速度に代えて用いている（自由回転ロール１２の回転速度はこの面速度に比例する）。自由回転ロール１２の面速度を計測している間、駆動ロール１１は、４００ｍｍ／ｓの一定の面速度で駆動させている。
【００３３】
図２に示す自由回転ロール１２の回転速度の変化によれば、自由回転ロール１２は、被評価物である化粧水を供給するまでは、駆動ロール１２と同じ面速度で回転しているが、被評価物である化粧水の供給により両ロール１１，１２間にすべりを生じ、更に、ニップ部１４の出口側において、自由回転ロール１２の回転を妨げるように粘着的な力を生じることによって、速やかに回転速度を低下させ、場合によってはこの例のように、ほぼ静止状態となる。本実施形態では、このような自由回転ロール１２の回転速度が、低下しながら変化して行く際の減衰勾配（ｄＶ／ｄｔ）を、液状製剤のぬるつきを評価するための好ましい物性値として用いて、例えば後述する方法によって、液状製剤である化粧水のぬるつきの強弱を評価する。より具体的に述べると、減衰勾配（ｄＶ／ｄｔ）の値が大きいほどぬるつきが大きく、小さいほどぬるつきが小さいと感じられるので、減衰勾配（ｄＶ／ｄｔ）の値の大小に応じて、ぬるつきの大小を評価できることになる。
【００３４】
ここで、自由回転ロール１２の面速度を計測する際に回転させる駆動ロール１１の回転速度は、速いほど、ニップ部１４での自由回転ロール１２と駆動ロール１１との間の接触時間が短くなることから、ロール１１，１２間の結着には不利となる（すなわち、滑りやすくなる）。また、ニップ部１４における、自由回転ロール１２の自重や軸部１２ａに加えられる荷重による押し付け圧は、高いほど、ロール１１，１２間の結着に有利となる（すなわち、滑りにくくなる）。このような押し付け圧による作用は、特に供給される液状製剤が微細粒子を懸濁するものの場合などには顕著となる。さらに、自由回転ロール１２や駆動ロール１１の周面の表面粗度が高いほど（平滑性が低いほど）、強い結着点を形成し易くなるため、ロール１１，１２間の結着に有利となる。以上の条件は、上述のぬるつきの第一の要件に対しては、感度を低下させる。
【００３５】
一方、自由回転ロール１２の面速度を計測する際に、回転させる駆動ロール１１の回転速度が速いほど、ニップ部１４の出口側における液状製剤の粘着的な特性を強く生じさせることになるため、上述のぬるつきの第二の要件に対しては、上記とは逆に感度を増大させる。
【００３６】
したがって、上記の二要件に対する感度を調整し、ぬるつきを適正に評価するために、種々の条件を考慮する必要があり、自由回転ロール１２や駆動ロール１１の材質、表面の状態、自由回転ロール１２によるニップ部１４における押し付け圧等については、例えばぬるつきの官能評価の結果と照合して、これらの条件を適切な範囲に設計する必要がある。
【００３７】
そして、本実施形態の液状製剤のぬるつきの評価方法によれば、ぬるつきを評価するための物性値として、好ましくは、上述の自由回転ロール１２の回転速度が、低下しながら変化して行く際の減衰勾配（ｄＶ／ｄｔ）を用いて、例えば以下のようにして、液状製剤のぬるつきの強弱を評価することができる。
【００３８】
すなわち、所定の種類の液状製剤について、駆動ロール１１を回転させつつ駆動ロール１１と自由回転ロール１２との間のニップ部１４の全体（幅方向の全長）に所定の種類の液状製剤を供給した際の、自由回転ロール１２の回転速度の変化である減衰勾配（ｄＶ／ｄｔ）と、所定の種類の液状製剤のぬるつきの官能評価との相関関係を、予め求めておく。そして、例えば当該所定の種類の液状製剤の一製品のぬるつきの強弱を評価するにあたり、この一製品の液状製剤を被評価物として、駆動ロール１１と自由回転ロール１２との間のニップ部１４の全体に供給して、その際の自由回転ロール１２の回転速度の変化である減衰勾配（ｄＶ／ｄｔ）を求める。求めた減衰勾配（ｄＶ／ｄｔ）の値から、予め求めておいた官能評価との相関関係に基づいて、被評価物である所定の種類の液状製剤の一製品のぬるつきの強弱を、客観的に評価することが可能になる。
【００３９】
したがって、本実施形態の液状製剤のぬるつきの評価方法、又はぬるつきの評価装置１０によれば、ぬるつきの程度を、減衰勾配という、客観的な計測が可能で、かつ大小の比較が容易な指標を用いて表すことができ、従来のぬるつきの評価方法と比較して、液状製剤の一製品のぬるつきの強弱を、総合的かつ客観的により適切に評価することができる。
【００４０】
なお、本発明は上記実施形態に限定されることなく種々の変更が可能である。例えば液状製剤のぬるつきの強弱を評価するための、ニップ部の全体に液状製剤を供給した際の自由回転ロールの回転速度の変化は、自由回転ロールの回転速度の減衰勾配である必要は必ずしも無く、自由回転ロールの速度低下が終わって定常速度に至るまでに要した時間等の、回転速度の変化を反映する他の計測値から得られるものであっても良い。液状製剤のぬるつきの強弱を評価するための物性値となる減衰勾配（ｄＶ／ｄｔ）は、回転速度が一定の直線状の勾配に沿って低下せず、例えば曲線状の勾配に沿って低下している場合には、減衰勾配（ｄＶ／ｄｔ）は、その曲線における最も傾斜が急となる部分の勾配とすることもできる。
【実施例】
【００４１】
以下、実施例により、本発明の液状製剤のぬるつきの評価方法をさらに詳細に説明するが、本発明はこれらに限定されるものではない。
【００４２】
上記実施形態の評価装置１０と同様の装置を用いて、上記実施形態の評価方法と同様のぬるつきの評価方法により、市販の化粧水１０点について、駆動ロールと自由回転ロールとの間のニップ部の全体に液状製剤を供給した際の、自由回転ロールの回転速度の減衰勾配（ｄＶ／ｄｔ）を計測した。より具体的には、市販のインコメーター（デジタルインコメータD型、（株）東洋精機製作所製）のトップロール上に市販のレーザードップラ速度計を配置した装置を用いて計測を行った。また同様の市販の化粧水１０点について、１１名のパネラーによる「ぬるつきのなさ」に関する官能評価を行った。得られた減衰勾配（ｄＶ／ｄｔ）を計測値と、「ぬるつきのなさ」に関する官能評価の値（値が高いものほどぬるつかない）との関係を図３にプロットした。なお。駆動ロールの面速度は４００ｍｍ／ｓとした。駆動ロールの材質は真鍮とし、自由回転ロールの材質はＮＢＲとした。自由回転ロールの押し付け圧は約２０ｇｆ／ｍｍであった。自由回転ロールの面速度は、液状製剤供給領域における面速度の計測に依った。また、この計測においては、膜厚制御ロールは用いていない。
【００４３】
図３に示す評価結果から、減衰勾配（ｄＶ／ｄｔ）の計測値と、「ぬるつきのなさ」に関する官能評価の値との間には、高い相関性が認められることから、本発明の液状製剤のぬるつきの評価方法は、液状製剤のぬるつきの強弱を、総合的かつ客観的により適切に評価するための方法として有効であることが判明する。
【符号の説明】
【００４４】
１０  ぬるつきの評価装置
１１  駆動ロール
１１ａ  回転軸
１１ｂ  凹溝
１１ｃ  液状製剤供給領域
１１ｄ  駆動力伝達領域
１２  自由回転ロール
１２ａ  回転軸
１２ｂ  縮径段部
１２ｃ  液状製剤供給領域
１３  速度センサー
１４  ニップ部
１５  膜厚制御ロール
１５ａ  回転軸
１５ｂ  凹溝
１５ｃ  液状製剤供給領域
１５ｄ  駆動力伝達領域
【図１】
2016161428.tif 000003
【図２】
2016161428.tif 000004
【図３】
2016161428.tif 000005